(57)【要約】【課題】  容積を拡大しつつ適切に注出することが可能なパウチ容器包装体を提供すること。【解決手段】  パウチ容器包装体Ｃ１は、前方シート１及び後方シート２と、天ガセットシート３と、シール部５と、収容部６と、内容物６９と、を備え、後方シート２は、傾斜端縁２４を有し、天ガセットシートは、傾斜端縁３８を有し、シール部５は、一対の前方サイドシール部５１と、一対の後方サイドシール部５２と、前方天シール部５３と、後方天シール部５４と、傾斜シール部５５と、を含み、前方天シール部５３は、後方天シール部５４よりも上下方向における下方に位置し、後方シート２の傾斜端縁２４と天ガセットシート３の傾斜端縁３８とに挟まれた状態で傾斜シール部５５によって固定され、且つ収容部６に通じるスパウト７を備える。【選択図】  図１
2020200090.tif 000002
【特許請求の範囲】
【請求項１】
前後方向に重なり合う前方シート及び後方シートと、
前記前方シート及び前記後方シートの上下方向における天端縁寄りに位置し且つ前記前方シート及び前記後方シートに挟まれた天ガセットシートと、
前記前方シート、前記後方シート及び前記天ガセットシートから選択された部分同士が接合されたシール部と、
前記前方シート、前記後方シート、前記天ガセットシート及び前記シール部によって規定された収容部と、
前記収容部に収容された内容物と、を備え、
前記前方シートは、天端縁及び一対の側端縁を有し、
前記後方シートは、天端縁及び一対の側端縁と、前記天端縁及び一方の前記側端縁の間に介在する傾斜端縁と、を有し、
前記天ガセットシートは、折返し部と、前方天端縁と、前記折返し部及び前記前方天端縁の間に介在する一対の前方側端縁と、後方天端縁と、前記折返し部及び前記後方天端縁との間に介在する一対の後方側端縁と、前記後方天端縁及び一方の前記後方側端縁の間に介在する傾斜端縁と、を有し、
前記シール部は、
前記前方シートの前記一対の側端縁の一部ずつと前記天ガセットシートの前記前方側端縁とが接合された一対の前方サイドシール部と、
前記後方シートの前記一対の側端縁の一部ずつと前記天ガセットシートの前記後方側端縁とが接合された一対の後方サイドシール部と、
前記前方シートの前記天端縁と前記天ガセットシートの前記前方天端縁とが接合された前方天シール部と、
前記後方シートの前記天端縁と前記天ガセットシートの前記後方天端縁とが接合された後方天シール部と、
前記後方シートの前記傾斜端縁と前記天ガセットシートの前記傾斜端縁とが接合された傾斜シール部と、を含み、
前記前方天シール部は、前記後方天シール部よりも上下方向における下方に位置し、
前記後方シートの前記傾斜端縁と前記天ガセットシートの前記傾斜端縁とに挟まれた状態で前記傾斜シール部によって固定され、且つ前記収容部に通じるスパウトを備える、
パウチ容器包装体。
【請求項２】
前記前方天シール部は、前記スパウト及び前記傾斜シール部よりも下方に位置する、請求項１に記載のパウチ容器包装体。
【請求項３】
前記前方シート及び前記後方シートの上下方向における底端縁寄りに位置し且つ前記前方シート及び前記後方シートに挟まれた底ガセットシートを備える、請求項１または２に記載のパウチ容器包装体。
【請求項４】
前記一対の前方サイドシール部と、前記一対の後方サイドシール部とは、互いに固定されている、請求項１ないし３のいずれかに記載のパウチ容器包装体。
【発明の詳細な説明】
【技術分野】
【０００１】
本発明は、パウチ容器用包材に関する。
【背景技術】
【０００２】
パウチ容器包装体は、たとえばスポーツドリンク等の飲料、アイスクリームやゼリー等の食品、シャンプー、リンス、ボディーソープ、洗剤、柔軟剤等の日用品、あるいは医薬品等の内容物を包装するのに適した容器包装体として広く使用されている。特許文献１には、従来のパウチ容器包装体の一例が開示されている。同文献に開示されたパウチ容器包装体は、前後２面の壁面フィルム（前方シート及び後方シート）と、上面フィルム（天ガセットシート）及び底面フィルム（底ガセットシート）と、を備える。底ガセットシートは、液体等の内容物の自重によって平坦となることにより、パウチ容器用包材が自立することを可能とするものである。天ガセットシートは、パウチ容器の容積を拡大させるために設けられている。
【先行技術文献】
【特許文献】
【０００３】
【特許文献１】特開２００１−１５８４３８号公報
【発明の概要】
【発明が解決しようとする課題】
【０００４】
天ガセットシート及び底ガセットシートが設けられることにより、内容物を収容したパウチ容器包装体におけるパウチ容器は、平坦な状態から膨らんだ状態となりやすい。特許文献１に記載されたパウチ容器包装体では、壁面フィルムとそれに対向する上面フィルムとを延長した突出部（斜め上部分）を切り取ることにより、注出口を形成する、又は突出部の上部端縁部にキャップを備えた注出口を熱接着することにより、注出口を形成する。しかしながら、内容物を収納し大きく変形したパウチ容器においては、適切な注出が困難な場合がある。また、このように変形したパウチ容器においては、パウチ容器を傾けて注出口から内容物（例えば、液体等）を注出した後もとの状態に戻す際に液だれしやすい。
【０００５】
本発明は、上記した事情のもとで考え出されたものであって、容積を拡大しつつ適切に内容物を注出することが可能なパウチ容器包装体を提供することをその課題とする。
【課題を解決するための手段】
【０００６】
本発明によって提供されるパウチ容器用包材は、前後方向に重なり合う前方シート及び後方シートと、前記前方シート及び前記後方シートの上下方向における天端縁寄りに位置し且つ前記前方シート及び前記後方シートに挟まれた天ガセットシートと、前記前方シート、前記後方シート及び前記天ガセットシートから選択された部分同士が接合されたシール部と、前記前方シート、前記後方シート、前記天ガセットシート及び前記シール部によって規定された収容部と、前記収容部に収容された内容物と、を備え、前記前方シートは、天端縁及び一対の側端縁を有し、前記後方シートは、天端縁及び一対の側端縁と、前記天端縁及び一方の前記側端縁の間に介在する傾斜端縁と、を有し、前記天ガセットシートは、折返し部と、前方天端縁と、前記折返し部及び前記前方天端縁の間に介在する一対の前方側端縁と、後方天端縁と、前記折返し部及び前記後方天端縁との間に介在する一対の後方側端縁と、前記後方天端縁及び一方の前記後方側端縁の間に介在する傾斜端縁と、を有し、前記シール部は、前記前方シートの前記一対の側端縁の一部ずつと前記天ガセットシートの前記前方側端縁とが接合された一対の前方サイドシール部と、前記後方シートの前記一対の側端縁の一部ずつと前記天ガセットシートの前記後方側端縁とが接合された一対の後方サイドシール部と、前記前方シートの前記天端縁と前記天ガセットシートの前記前方天端縁とが接合された前方天シール部と、前記後方シートの前記天端縁と前記天ガセットシートの前記後方天端縁とが接合された後方天シール部と、前記後方シートの前記傾斜端縁と前記天ガセットシートの前記傾斜端縁とが接合された傾斜シール部と、を含み、前記前方天シール部は、前記後方天シール部よりも上下方向における下方に位置し、前記後方シートの前記傾斜端縁と前記天ガセットシートの前記傾斜端縁とに挟まれた状態で前記傾斜シール部によって固定され、且つ前記収容部に通じるスパウトを備える。
【０００７】
本発明の好ましい実施の形態においては、前記前方天シール部は、前記スパウト及び前記傾斜シール部よりも下方に位置する。
【０００８】
本発明の好ましい実施の形態においては、前記前方シート及び前記後方シートの上下方向における底端縁寄りに位置し且つ前記前方シート及び前記後方シートに挟まれた底ガセットシートを備える。
【０００９】
本発明の好ましい実施の形態においては、前記一対の前方サイドシール部と、前記一対の後方サイドシール部とは、互いに固定されている。
【発明の効果】
【００１０】
本発明によれば、容積を拡大しつつ適切に内容物を注出することが可能なパウチ容器包装体を提供することができる。
【００１１】
本発明のその他の特徴及び利点は、添付図面を参照して以下に行う詳細な説明によって、より明らかとなろう。
【図面の簡単な説明】
【００１２】
【図１】本発明に係るパウチ容器包装体の一例に用いられるパウチ容器用包材を示す正面図である。
【図２】本発明に係るパウチ容器包装体の一例に用いられるパウチ容器用包材を示す要部分解斜視図である。
【図３】図１のＩＩＩ−ＩＩＩ線に沿う断面図である。
【図４】図１のＩＶ−ＩＶ線に沿う断面図である。
【図５】本発明に係るパウチ容器包装体の一例を示す正面図である。
【図６】本発明に係るパウチ容器包装体の一例を示す側面図である。
【図７】図５のＶＩＩ−ＶＩＩ線に沿う断面図である。
【図８】本発明に係るパウチ容器包装体の一例を示す平面図である。
【図９】本発明に係るパウチ容器包装体の変形例を示す要部正面図である。
【発明を実施するための形態】
【００１３】
以下、本発明の好ましい実施の形態につき、図面を参照して具体的に説明する。
【００１４】
図１〜図４は、本発明に係るパウチ容器包装体に用いられるパウチ容器用包材を示している。本実施形態のパウチ容器用包材Ａ１は、前方シート１、後方シート２、天ガセットシート３、底ガセットシート４、シール部５、収容部６及びスパウト７を備えている。なお、以下の説明では、まず、パウチ容器用包材Ａ１の構成要素として前方シート１、後方シート２、天ガセットシート３及び底ガセットシート４を説明する。それぞれの形状や互いの相対的な関係は、平坦に折り畳まれたパウチ容器用包材Ａ１を前提に説明する。後述のパウチ容器Ｂ１やパウチ容器包装体Ｃ１においては、シール部５による接合拘束が許す範囲で、それぞれの形状や位置関係が変化しうる。
【００１５】
図１は、パウチ容器用包材Ａ１を示す正面図である。図２は、パウチ容器用包材Ａ１を示す要部分解斜視図である。図３は、図１のＩＩＩ−ＩＩＩ線に沿う断面図である。図４は、図１のＩＶ−ＩＶ線に沿う断面図である。これらの図において、ｙ方向は、「前後方向」に相当し、ｚ方向は、「上下方向」に相当し、上下方向の上側を「天」側、下側を「底」側と称する。また、ｘ方向を「幅方向」と称する場合がある。また、図１においては、理解の便宜上、シール部５にハッチングを付している。図２は、パウチ容器用包材Ａ１における前方シート１、後方シート２、天ガセットシート３及び底ガセットシート４のそれぞれの形状や相対的な関係を示すものであり、パウチ容器用包材Ａ１の特定の製造手順を示すものではない。
【００１６】
前方シート１及び後方シート２は、ｙ方向に重なり合っている。前方シート１及び後方シート２の形状や大きさは特に限定されない。
【００１７】
図１及び図２に示すように、前方シート１は、天端縁１１、底端縁１２及び一対の側端縁１３を有する。天端縁１１は、ｚ方向の天側に位置する端縁であり、図示された例においては、ｘ方向に沿った直線状である。底端縁１２は、ｚ方向の底側に位置する端縁であり、図示された例においては、ｘ方向に沿った直線状である。一対の側端縁１３は、ｚ方向において天端縁１１と底端縁１２との間に位置しており、幅方向であるｘ方向に離間している。図示された例においては、側端縁１３は、ｚ方向に沿った直線状である。
【００１８】
図１及び図２に示すように、後方シート２は、天端縁２１、底端縁２２、一対の側端縁２３及び傾斜端縁２４を有する。天端縁２１は、ｚ方向の天側に位置する端縁であり、図示された例においては、ｘ方向に沿った直線状である。底端縁２２は、ｚ方向の底側に位置する端縁であり、図示された例においては、ｘ方向に沿った直線状である。一対の側端縁２３は、ｚ方向において天端縁２１と底端縁２２との間に位置しており、幅方向であるｘ方向に離間している。図示された例においては、側端縁２３は、ｚ方向に沿った直線状である。また、一方の側端縁２３は、他方の側端縁２３よりも長さが短い。傾斜端縁２４は、天端縁２１と一方の側端縁２３（短い方の側端縁２３）との間に介在しており、ｘ方向及びｚ方向に対して傾いている。
【００１９】
図示された例においては、底端縁１２と底端縁２２とが、ｙ方向視において略一致している。また、一対の側端縁１３と一対の側端縁２３の一部ずつとが、ｙ方向視において略一致している。天端縁１１は、天端縁２１に対してｚ方向の下方（底側）に位置している。さらに、天端縁１１は、傾斜端縁２４に対してｚ方向の下方（底側）に位置している。
【００２０】
図１及び図２に示すように、底ガセットシート４は、前方シート１の底端縁１２及び後方シート２の底端縁２２寄りに位置しており、前方シート１及び後方シート２に挟まれている。底ガセットシート４は、前方部４１、後方部４２、折返し部４３、前方底端縁４４、一対の前方側端縁４５、後方底端縁４６及び一対の後方側端縁４７を有する。
【００２１】
前方部４１は、前方シート１と対面する部分である。後方部４２は、後方シート２と対面する部分である。折返し部４３は、前方部４１及び後方部４２の天端縁同士を繋いでいる。底ガセットシート４は、折返し部４３において折られた状態で、前方シート１と後方シート２との間に配置されている。前方底端縁４４は、前方部４１のｚ方向の底側に位置する端縁であり、図示された例においては、ｘ方向に沿った直線状である。後方底端縁４６は、後方部４２のｚ方向の底側に位置する端縁であり、図示された例においては、ｘ方向に沿った直線状である。図示された例においては、前方底端縁４４及び後方底端縁４６は、ｙ方向視において底端縁１２及び底端縁２２と略一致している。
【００２２】
一対の前方側端縁４５は、ｚ方向において折返し部４３と前方底端縁４４との間に位置しており、前方部４１のｘ方向に離間した両端縁である。図示された例においては、一対の前方側端縁４５のそれぞれは、２つの凹部４５１を有する。凹部４５１は、前方側端縁４５からｘ方向内方に凹んだ部位である。凹部４５１の形状は特に限定されず、たとえば半円形状である。２つの凹部４５１は、ｚ方向に離間して配置されている。なお、凹部４５１の個数は特に限定されない。
【００２３】
一対の後方側端縁４７は、ｚ方向において折返し部４３と後方底端縁４６との間に位置しており、後方部４２のｘ方向に離間した両端縁である。図示された例においては、一対の後方側端縁４７のそれぞれは、２つの凹部４７１を有する。凹部４７１は、後方側端縁４７からｘ方向内方に凹んだ部位である。凹部４７１の形状は特に限定されず、たとえば半円形状である。２つの凹部４７１は、ｚ方向に離間して配置されている。なお、凹部４７１の個数は特に限定されない。
【００２４】
一対の前方側端縁４５と一対の後方側端縁４７とは、ｙ方向視において略一致している。また、一対の前方側端縁４５及び一対の後方側端縁４７は、一対の側端縁１３の一部ずつ及び一対の側端縁２３の一部ずつと、ｙ方向視において略一致している。凹部４５１と凹部４７１とは、ｙ方向視において略一致している。
【００２５】
図１及び図２に示すように、天ガセットシート３は、前方シート１の天端縁１１及び後方シート２の天端縁２１寄りに位置しており、前方シート１及び後方シート２に挟まれている。天ガセットシート３は、前方部３１、後方部３２、折返し部３３、前方天端縁３４、一対の前方側端縁３５、後方天端縁３６、一対の後方側端縁３７及び傾斜端縁３８を有する。
【００２６】
前方部３１は、前方シート１と対面する部分である。後方部３２は、後方シート２と対面する部分である。折返し部３３は、前方部３１及び後方部３２の底端縁同士を繋いでいる。天ガセットシート３は、折返し部３３において折られた状態で、前方シート１と後方シート２との間に配置されている。前方部３１のｚ方向の長さは、後方部３２のｚ方向の長さよりも短い。言い換えると、後方部３２の一部は、前方部３１からｚ方向に延出している。
【００２７】
前方天端縁３４は、前方部３１のｚ方向の天側に位置する端縁であり、図示された例においては、ｘ方向に沿った直線状である。図示された例においては、前方天端縁３４は、ｙ方向視において天端縁１１と略一致している。後方天端縁３６は、後方部３２のｚ方向の天側に位置する端縁であり、図示された例においては、ｘ方向に沿った直線状である。図示された例においては、後方天端縁３６は、ｙ方向視において天端縁２１と略一致している。
【００２８】
一対の前方側端縁３５は、ｚ方向において折返し部３３と前方天端縁３４との間に位置しており、前方部３１のｘ方向に離間した両端縁である。図示された例においては、一対の前方側端縁３５のそれぞれは、凹部３５１を有する。凹部３５１は、前方側端縁３５からｘ方向内方に凹んだ部位である。凹部３５１の形状は特に限定されず、たとえば半円形状である。なお、凹部３５１の個数は特に限定されない。
【００２９】
一対の後方側端縁３７は、ｚ方向において折返し部３３と後方天端縁３６との間に位置しており、後方部３２のｘ方向に離間した両端縁である。また、一方の後方側端縁３７は、他方の後方側端縁３７よりも長さが短い。傾斜端縁３８は、後方天端縁３６と一方の後方側端縁３７（短い方の後方側端縁３７）との間に介在しており、ｘ方向及びｚ方向に対して傾いている。図示された例においては、後方側端縁３７は、ｙ方向視において傾斜端縁２４と略重なっている。
【００３０】
図示された例においては、一対の後方側端縁３７のそれぞれは、凹部３７１を有する。凹部３７１は、後方側端縁３７からｘ方向内方に凹んだ部位である。凹部３７１の形状は特に限定されず、たとえば半円形状である。なお、凹部３７１の個数は特に限定されない。
【００３１】
一対の前方側端縁３５と一対の後方側端縁３７とは、ｙ方向視において略一致している。また、一対の前方側端縁３５及び一対の後方側端縁３７は、一対の側端縁１３の一部ずつ及び一対の側端縁２３の一部ずつと、ｙ方向視において略一致している。凹部３５１と凹部３７１とは、ｙ方向視において略一致している。
【００３２】
前方シート１、後方シート２、底ガセットシート４及び天ガセットシート３は、通常、樹脂フィルムから構成される。該樹脂フィルムには、耐衝撃性、耐磨耗性、及び耐熱性等、包装体としての基本的な性能を備えることが要求される。また、後述のシール部５は、通常、ヒートシールにより形成されるので、シートにはヒートシール性も要求される。シートとしては、ベースフィルム層と、ヒートシール性を付与するシーラント層とを有する複層シートが好適であり、高いガスバリア性や遮光性が要求される場合には、ベースフィルム層とシーラント層との間にバリア層を設けることが好適である。なお、ベースフィルム層そのものにバリア性を付与してもよい。この場合は、バリア層をベースフィルム層として用い、バリア層とシーラント層とを有する複層シートとなる。
【００３３】
ここで、ベースフィルム層、シーラント層、及びガスバリア層の構成材料を例示する。なお、これら各層の積層は、慣用のラミネート法、例えば、共押出しラミネーション、接着剤によるドライラミネーション、熱接着性層を挟んで熱により接着させる熱ラミネーション等により行うことができる。
【００３４】
ベースフィルム層を構成するフィルムとしては、ポリエステル（ポリエチレンテレフタレート（ＰＥＴ）、ポリエチレンナフタレ−ト（ＰＥＮ）、ポリブチレンテレフタレート（ＰＢＴ）、ポリカーボネート（ＰＣ）等）、ポリオレフィン（ポリエチレン（ＰＥ）、ポリプロピレン（ＰＰ）等）、ポリアミド（ナイロン−６、ナイロン−６６等）、ポリアクリロニトリル（ＰＡＮ）、ポリイミド（ＰＩ）、ポリ塩化ビニル（ＰＶＣ）、ポリ塩化ビニリデン（ＰＶＤＣ）、ポリメチルメタクリレート（ＰＭＭＡ）、ポリエーテルスルフォン（ＰＥＳ）等から構成される一層または二層以上の延伸または未延伸フィルムが例示できる。
【００３５】
シーラント層を構成するフィルムとしては、低密度ポリエチレン（ＬＤＰＥ）、直鎖状低密度ポリエチレン（ＬＬＤＰＥ）、エチレン−プロピレン共重合体（ＥＰ）、未延伸ポリプロピレン（ＣＰＰ）、二軸延伸ナイロン（ＯＮ）、エチレン−オレフィン共重合体、エチレン−アクリル酸共重合体（ＥＡＡ）、エチレン−メタクリル酸共重合体（ＥＭＡＡ）及びエチレン−酢酸ビニル共重合体（ＥＶＡ）等から構成される一層または二層以上の延伸または未延伸フィルムが例示できる。
【００３６】
ガスバリア層としては、アルミニウム等の金属薄膜、又は塩化ビニリデン（ＰＶＤＣ）、エチレン−ビニルアルコール共重合体（ＥＶＯＨ）等の樹脂フィルム、或いは任意の合成樹脂フィルム（例えば、ベースフィルム層であってもよい）に、アルミニウム、酸化アルミニウムやシリカ等の無機酸化物等を蒸着（又はスパッタリング）したフィルムが例示できる。
【００３７】
スパウト７は、パウチ容器用包材Ａ１を用いて製造されたパウチ容器包装体において、収容部６に収容された内容物を注出するためのものである。図示された例においては、スパウト７は、後方シート２の傾斜端縁２４と天ガセットシート３の後方部３２の傾斜端縁３８との間に配置されている。
【００３８】
シール部５は、前方シート１、後方シート２、底ガセットシート４、天ガセットシート３及びスパウト７から適宜選択された部分同士が接合されたものである。シール部５を形成する手法は限定されず、収容部６を密閉状態とし得る手法であればよく、本実施形態においてはヒートシールが用いられている。図１、図３及び図４に示すように、図示された例においては、シール部５は、一対の前方サイドシール部５１、一対の後方サイドシール部５２、前方天シール部５３、傾斜シール部５５、一対のサイドシール部５６、前方底シール部５７及び後方底シール部５８を含む。なお、以降に説明するシール部５をヒートシールによって形成する場合、前方シート１のうち後方シート２、天ガセットシート３及び底ガセットシート４と対面する面、後方シート２のうち前方シート１、天ガセットシート３及び底ガセットシート４と対面する面、天ガセットシート３のうち前方シート１及び後方シート２と対面する面、底ガセットシート４のうち前方シート１及び後方シート２と対面する面が、シーラント層によって構成される。また、シーラント層とは反対側の面が、ベースフィルム層によって構成される。
【００３９】
一対の前方サイドシール部５１は、前方シート１の一対の側端縁１３に沿った部分と天ガセットシート３の前方部３１の一対の前方側端縁３５に沿った部分とが、接合された部分である。一対の後方サイドシール部５２は、後方シート２の一対の側端縁２３に沿った部分と天ガセットシート３の後方部３２の一対の後方側端縁３７に沿った部分とが、接合された部分である。なお、図示された例においては、一対の凹部３５１及び一対の凹部３７１が形成されていることにより、凹部３５１及び凹部３７１を通じて、前方シート１及び後方シート２の一部ずつが接合される。これにより、一対の前方サイドシール部５１と一対の後方サイドシール部５２とが、部分的に互いに固定された構造となっている。
【００４０】
一対のサイドシール部５６は、前方シート１の一対の側端縁１３に沿った部分と後方シート２の一対の側端縁２３に沿った部分とのうち、天ガセットシート３及び底ガセットシート４からそれぞれ露出した部分同士が接合された部分である。
【００４１】
前方底シール部５７は、前方シート１の底端縁１２に沿った部分及び一対の側端縁１３に沿った部分の一部ずつと、底ガセットシート４の前方部４１の前方底端縁４４及び一対の前方側端縁４５に沿った部分とが、接合された部分である。後方底シール部５８は、後方シート２の底端縁２２に沿った部分及び一対の側端縁２３に沿った部分の一部ずつと、底ガセットシート４の後方部４２の後方底端縁４６及び一対の後方側端縁４７に沿った部分とが、接合された部分である。
【００４２】
なお、図示された例においては、二対の凹部４５１及び二対の凹部４７１が形成されていることにより、凹部４５１及び凹部４７１を通じて、前方シート１及び後方シート２の一部ずつが接合される。これにより、前方底シール部５７と後方底シール部５８とが、部分的に互いに固定された構造となっている。また、図示された例においては、前方底シール部５７には、一対の未シール部５７１が設けられている。未シール部５７１は、ヒートシールが施されていない部位であり、前方シート１と底ガセットシート４の前方部４１との間に空気が溜まり得る部位である。未シール部５７１を設けることにより、前方底シール部５７を形成するためのヒートシール工程において、排出しきれなかった空気が意図しない部位に残存し、接合強度を低下させたり、外観を損ねたりすることを抑制することができる。後方底シール部５８にも、同様の未シール部（図６の未シール部５８１）を設けることが好ましい。
【００４３】
傾斜シール部５５は、後方シート２の傾斜端縁２４に沿った部分と天ガセットシート３の後方部３２の傾斜端縁３８に沿った部分とが接合された部位である。また、傾斜シール部５５の中央付近においては、後方シート２と天ガセットシート３の後方部３２とスパウト７とが接合されている。これにより、スパウト７は、収容部６に通じている。
【００４４】
後方シート２の天端縁２１に沿った部分と天ガセットシート３の後方部３２の後方天端縁３６に沿った部分との未接合部分は、後述の収容部６に通じる開口部を構成している。この開口部は、たとえば後述の内容物６９を収容部６に充填する工程で利用される。
【００４５】
収容部６は、内容物を収容するものであり、図示された例においては、前方シート１、後方シート２、底ガセットシート４及び天ガセットシート３に囲まれた空間である。パウチ容器用包材Ａ１においては、上述の開口部に繋がる部分を除き、シール部５によって密閉されている。
【００４６】
パウチ容器用包材Ａ１の製造方法は、何ら限定されず、従来公知の製造方法を適宜採用可能である。たとえば、長尺状の複数の原反シートを長手方向に送りつつ、折返しや重ね合わせ、及びヒートシールや切断を行うことにより、複数のパウチ容器用包材Ａ１を連続的に製造する方法であってもよく、あるいは、１つずつのパウチ容器用包材Ａ１を個別に製造する方法であってもよい。
【００４７】
また、パウチ容器用包材Ａ１を用いたパウチ容器包装体の製造においては、たとえば後方シート２の天端縁２１と天ガセットシート３の後方天端縁３６との間に設けられた開口部から、内容物６９を収容部６に充填する。次いで、後方シート２の天端縁２１に沿った部分と、天ガセットシート３の後方部３２の後方天端縁３６に沿った部分とをヒートシールによって接合し、後方天シール部５４を形成する。これにより、図５〜図８に示すように、パウチ容器Ｂ１と、パウチ容器Ｂ１の収容部６に収容された内容物６９とを備えるパウチ容器包装体Ｃ１が得られる。
【００４８】
パウチ容器包装体Ｃ１を構成するパウチ容器Ｂ１は、シール部５によって収容部６が密閉状態とされている。この密閉された収容部６に内容物６９が収容されている。図６及び図７に示すように、底ガセットシート４がｚ方向の下方に位置する姿勢で、陳列棚等の上面にパウチ容器包装体Ｃ１を載置すると、内容物６９の自重によって、底ガセットシート４がより平坦な形に広げられる。このように、底ガセットシート４は、パウチ容器包装体Ｃ１を自立させることに寄与する。また、図５〜図８に示すように、内容物６９が充填されていることにより、前方シート１及び後方シート２は、ｚ方向視において各々が円弧状に膨出し、前方シート１及び後方シート２が楕円形状や円形状に近い形状を呈する。また、図６〜図８に示すように、天ガセットシート３は、前方シート１及び後方シート２が楕円形状や円形状に近い形状を呈することに対応して、前方部３１及び後方部３２が大きく開かれた形状をなす。このように、天ガセットシート３は、収容部６の容積をより拡大することに寄与する。
【００４９】
図６及び図８に示すように、ｚ方向視において後方シート２が円弧形状に膨出した状態となることにより、後方シート２のｘ方向端部寄りに位置する傾斜シール部５５に固定されたスパウト７は、ｘ方向に対して傾いた姿勢となる。すなわち、ｘ方向外方に向かうほどｙ方向において前方シート１寄りに位置するように傾いている。
【００５０】
次に、パウチ容器包装体Ｃ１の作用について説明する。
【００５１】
本実施形態によれば、パウチ容器包装体Ｃ１は、内容物６９が充填されていることによって前方シート１及び後方シート２がｚ方向視において円形状または楕円形状を呈する形状となる。これに伴い、スパウト７は、ｘ方向に対して傾いた姿勢をとる。前方シート１及び後方シート２の形状は、内容物６９が収容されている限り、円形状または楕円形状を維持する。このため、スパウト７は、安定して傾いた姿勢をとる。この結果、スパウト７から内容物６９を注出する際に、スパウト７の向きが不安定となるおそれが少なく、内容物６９をより安定して注出することができる。したがって、パウチ容器包装体Ｃ１によれば、天ガセットシート３を備えることによって収容部６の容積を拡大しつつ、内容物を適切に注出することができる。
【００５２】
図８に示すように、スパウト７が斜め方向を向くとともに、パウチ容器Ｂ１が全体としてｚ方向視において円形状または楕円形状を呈することにより、パウチ容器包装体Ｃ１の購入者は、円弧形状となった後方シート２に手Ｈｄを沿わせるようにして、パウチ容器包装体Ｃ１を把持した状態で、スパウト７から内容物６９を安定して適切に注出することが可能である。本実施形態とは異なり、たとえば、スパウト７がｘ方向に沿った姿勢であると、スパウト７とは反対側に位置する後方サイドシール部５２やサイドシール部５６を手Ｈｄによって覆うようにパウチ容器包装体Ｃ１を把持して注出することが強いられる。この場合、後方サイドシール部５２やサイドシール部５６によって、購入者の手Ｈｄに痛感が生じるおそれがあり、また、スパウト７の向きも安定しにくい。本実施形態によれば、このような痛感が生じることを回避することが可能であり、また、スパウト７の向きをより安定させることができる。
【００５３】
また、スパウト７からの注出を断続的に行うと、注出した内容物６９の一部が、スパウト７を伝ってパウチ容器Ｂ１の外面に付着する場合がある。本実施形態によれば、図７に示すように、天ガセットシート３の前方部３１及び後方部３２によって緩やかなＶ字状や凹曲面状の形状部分が構成される。これにより、スパウト７から伝ってきた内容物６９を、天ガセットシート３に溜めることが可能であり、パウチ容器Ｂ１の前方シート１や後方シート２の外面に内容物６９が過大に付着することを抑制することができる。
【００５４】
図９は、パウチ容器包装体Ｃ１の変形例を示している。なお、同図において、上記実施形態と同一または類似の要素には、上記実施形態と同一の符号を付している。
【００５５】
本変形例においては、前方シート１に曲線部１０１が設けられており、天ガセットシート３の前方部３１に曲線部３０１が設けられている。曲線部１０１は、天端縁１１と側端縁１３との間に介在しており、凸曲線形状である。曲線部３０１は、前方天端縁３４と前方側端縁３５との間に介在しており、凸曲線形状である。曲線部１０１と曲線部３０１とは、略一致している。
【００５６】
本変形例によれば、上述したパウチ容器包装体Ｃ１の作用効果に加えて、前方サイドシール部５１と前方天シール部５３との接続部分を緩やかな形状とすることができる。前方サイドシール部５１と後方サイドシール部５２とは、凹部３５１及び凹部３７１が設けられていることにより互いの一部ずつが固定されているが、前方サイドシール部５１のｚ方向天側端部分（前方天シール部５３のｘ方向最外方部分）は、後方サイドシール部５２から離間可能な状態である。この部分が、曲線部１０１及び曲線部３０１によって緩やかな凸曲線形状であることにより、購入者に痛感が生じることを抑制することが可能である。
【００５７】
本発明に係るパウチ容器包装体は、上述した実施形態に限定されるものではない。本発明に係るパウチ容器包装体の各部の具体的な構成は、種々に設計変更自在である。
【符号の説明】
【００５８】
Ａ１      ：パウチ容器用包材
Ｂ１      ：パウチ容器
Ｃ１      ：パウチ容器包装体
１        ：前方シート
１Ａ      ：第１原反シート
２        ：後方シート
２Ａ      ：第２原反シート
３        ：天ガセットシート
３Ａ      ：第３原反シート
４        ：底ガセットシート
４Ａ      ：第４原反シート
５        ：シール部
６        ：収容部
７        ：スパウト
１１，１１Ａ：天端縁
１２      ：底端縁
１３      ：側端縁
２１      ：天端縁
２２      ：底端縁
２３      ：側端縁
２４      ：傾斜端縁
３１，３１Ａ：前方部
３２      ：後方部
３３      ：折返し部
３４，３４Ａ：前方天端縁
３５      ：前方側端縁
３６      ：後方天端縁
３７      ：後方側端縁
３８      ：傾斜端縁
４１      ：前方部
４２      ：後方部
４３      ：折返し部
４４      ：前方底端縁
４５      ：前方側端縁
４６      ：後方底端縁
４７      ：後方側端縁
５１      ：前方サイドシール部
５２      ：後方サイドシール部
５３      ：前方天シール部
５４      ：後方天シール部
５５      ：傾斜シール部
５６      ：サイドシール部
５７      ：前方底シール部
５８      ：後方底シール部
６９      ：内容物
１０１，３０１：曲線部
３５１，３７１，４５１，４７１：凹部
３５１Ａ，３７１Ａ，４５１Ａ：円孔
５７１，５８１：未シール部
Ｃｔ      ：カッター
Ｈｄ      ：手
【図１】
2020200090.tif 000003
【図２】
2020200090.tif 000004
【図３】
2020200090.tif 000005
【図４】
2020200090.tif 000006
【図５】
2020200090.tif 000007
【図６】
2020200090.tif 000008
【図７】
2020200090.tif 000009
【図８】
2020200090.tif 000010
【図９】
2020200090.tif 000011